(57)【要約】【課題】  引戸装置において、気密構造を簡単かつ安価に提供でき、しかも操作性が良く、十分な気密を得ることができるようにする。【解決手段】  屋内側引戸１０の屋外側の面および屋外側引戸１０の屋内側の面には全周にわたって連続したシール材１５が設けられている。上枠の屋内側案内通路５１には、屋内側引戸１０が開き位置から閉じ位置に向かって移動する際に屋内側引戸の上側走行体８２を屋外に向かうように案内する傾斜部５１ｘが設けられ、屋外側案内通路５２には、屋外側引戸１０が開き位置から閉じ位置に向かって移動する際に屋外側引戸１０の上側走行体８２を屋内に向かうように案内する傾斜部５２ｘが設けられている。下枠にも同様の案内通路が設けられている。屋内側引戸１０と屋外側引戸が閉じ位置にあるとき、これら引戸１０の上下縁のシール材１５が上枠、下枠のシール用突条に当たり、これら引戸の側縁のシール材同士が当たる。【選択図】  図９
2008057265.tif 000002
【特許請求の範囲】
【請求項１】
上枠と、下枠と、これらの間に引き違い式に配置された複数の引戸とを備え、上記引戸の上縁および下縁には、それぞれ上側走行体と下側走行体が設けられ、上記上枠には、屋内側，屋外側の引戸の上側走行体をそれぞれ案内する屋内側案内通路と屋外側案内通路が設けられ、上記下枠にも、屋内側，屋外側の引戸の下側走行体をそれぞれ案内する屋内側案内通路と屋外側案内通路が設けられている引戸装置において、
上記屋内側引戸の屋外側の面および屋外側引戸の屋内側の面には、引戸の上下縁および左右の側縁に沿って延び全周にわたってほぼ連続するシール材が設けられ、
上記上枠および下枠には、上記屋内側案内通路と屋外側案内通路の間に位置しこれら案内通路に沿って延びるシール用突条が設けられ、
上記上枠および下枠の屋内側案内通路には、屋内側引戸が開き位置から閉じ位置に向かって移動する際に屋内側引戸の上側，下側の走行体をそれぞれ屋外に向かうように案内する傾斜部が設けられ、
上記上枠および下枠の屋外側案内通路には、屋外側引戸が開き位置から閉じ位置に向かって移動する際に屋外側引戸の上側，下側の走行体をそれぞれ屋内に向かうように案内する傾斜部が設けられ、
上記屋内側引戸と屋外側引戸が閉じ位置にあるとき、これら引戸の上下縁のシール材が上枠、下枠のシール用突条に当たり、これら引戸の側縁のシール材同士が当たることを特徴とする引戸装置。
【請求項２】
上記引戸の上側走行体および下側走行体が左右に一対ずつ設けられ、
上枠，下枠の屋内側案内通路が互いに同一形状をなして上下に対峙するとともに、これら上枠，下枠に沿って同一直線上に延びる複数の主通路部分と、これら主通路部分に連なるとともに閉じ位置の引戸の走行体に対応した箇所に設けられた複数の副通路部分とを有し、案内通路の両端から離れた副通路部分は屋外に向かって突出する山形をなし、その両側が上記傾斜部として提供され、
同様に、上枠，下枠の屋外側案内通路も互いに同一形状をなして上下に対峙とともに、これら上枠，下枠に沿って同一直線上に延びる複数の主通路部分と、これら主通路部分に連なるとともに閉じ位置の引戸の走行体に対応した箇所に設けられた複数の副通路部分とを有し、案内通路の両端から離れた副通路部分は屋内に向かって突出する山形をなし、その両側が上記傾斜部として提供され、
上記引戸が開き位置にある時には引戸の走行体が案内通路の主通路部分に位置し、引戸が閉じ位置にある時には引戸の走行体が山形をなす副通路部分の頂部に位置することを特徴とする請求項１に記載の引戸装置。
【請求項３】
各引戸はその上縁に取り付けられた左右一対の吊具を介して上記上枠に吊り下げ支持されるようになっており、
上記上枠は屋外側案内通路の両側と屋外側案内通路の両側にそれぞれ一対の走行支持部を有し、
上記吊具は、上枠から上方に垂直に延びて上記案内通路を貫通するシャフトと、このシャフトの上部に設けられた支持体と、この支持体に支持された少なくとも一対の戸車とを有し、上記シャフトが上記案内通路に沿って走行する上側走行体として提供され、上記戸車が上記走行支持部の上面に乗ることにより上記引戸の荷重を担うことを特徴とする請求項２に記載の引戸装置。
【請求項４】
各吊具が上記支持体を一対備え、これら支持体が上記シャフトに回動可能に連結され、各支持体に上記対をなす戸車が設けられるとともに上方に突出する補助走行体が設けられ、上記上枠には当該補助走行体を案内する屋内側、屋外側の補助案内通路が設けられ、
上記屋内側の補助案内通路には、屋内側引戸が開き位置から閉じ位置に向かって移動する際に屋内側引戸の補助走行体を屋外に向かうように案内する傾斜部が設けられ、
上記屋外側の補助案内通路には、屋外側引戸が開き位置から閉じ位置に向かって移動する際に屋外側引戸の補助走行体を屋内に向かうように案内する傾斜部が設けられていることを特徴とする請求項３に記載の引戸装置。
【請求項５】
上記屋内側の補助案内通路は、上枠，下枠に沿って直線上に延びる複数の主通路部分と、これら主通路部分に連なるとともに閉じ位置の引戸の吊具に対応した箇所に設けられた複数の副通路部分とを有し、補助案内通路の両端から離れた副通路部分は屋外に向かって突出する山形をなし、その両側が上記傾斜部として提供され、
同様に、屋外側の補助案内通路も上枠，下枠に沿って直線上に延びる複数の主通路部分と、これら主通路部分に連なるとともに閉じ位置の引戸の吊具に対応した箇所に設けられた複数の副通路部分とを有し、補助案内通路の両端から離れた副通路部分は屋内に向かって突出する山形をなし、その両側が上記傾斜部として提供され、
上記副通路部分の頂部は主通路部分と平行をなして真直ぐに延びており、
上記引戸が開き位置にある時には各吊具の一対の補助走行体が補助案内通路の主通路部分に位置し、引戸が閉じ位置にある時には各吊具の一対の補助走行体が上記補助案内通路の副通路部分における真直ぐな頂部に位置し、これにより、吊具の一対の支持体が一直線上に配置されるとともに、上記吊具の全ての戸車が引戸と平行をなすことを特徴とする請求項４に記載の引戸装置。
【請求項６】
上記下枠のシール用突条が下枠の上面から僅かに突出し、下側のシール材の下面が引戸の下縁と同一高さに位置するか、それより僅かに下方に突出していることを特徴とする請求項１〜５のいずれかに記載の引戸装置。
【発明の詳細な説明】
【技術分野】
【０００１】
本発明は、例えば大型の引き違い窓装置として提供される引戸装置に関する。
【背景技術】
【０００２】
大型の引き違い窓装置は、上枠と、下枠と、これらの間に引き違い式に配置された複数の引戸とを備えている。上記引戸の上框および下框には、それぞれ上側走行体と下側走行体が設けられ、上記上枠には、屋内側および屋外側の引戸の上側走行体をそれぞれ案内する真直ぐな屋内側案内通路と屋外側案内通路が設けられ、上記下枠にも、屋内側および屋外側の引戸の下側走行体をそれぞれ案内する真直ぐな屋内側案内通路と屋外側案内通路が設けられている。
【０００３】
上記引き違い窓装置は引戸が閉じ位置にあるときに気密を維持することが要求される。そのため、従来では寄せ機構を用いて、屋内側の引戸と屋外側の引戸を互いに離す方向に、すなわち屋内側の引戸を屋内方向に、屋外側の引戸を屋外側に変位させる。この際、屋内側の引戸の屋内側の面の上下框に取り付けられたシール材が、上枠と下枠の屋内側の部位に形成されたシール壁に当たるとともに、屋外側の引戸の屋外側の面の上下框に取り付けられたシール材が、上枠と下枠の屋外側の部位に形成されたシール壁に当たる。これと同時に、引戸の左右縦框のフランジに取り付けられたシール材同士が当たる。このようにして、引戸の上框、下框、左右縦框がそれぞれシール材によりシールされる。
【発明の開示】
【発明が解決しようとする課題】
【０００４】
上記の引き違い窓装置では、気密を実現するための寄せ機構が引戸の複数個所を連動させて変位させる構造であるため、その構造が複雑かつ高価であった。また、寄せ機構はレバー操作で上記引戸の変位を実現させるのが一般的であるが、大型で重い引戸の場合、このレバー操作に大きな力を要し、操作性も悪かった。
さらに、引戸の上框、下框のシール材が屋内側または屋外側の面に設けられ、左右の縦框のシール材がフランジに設けられているため、これらシール材同士を連続させることができず、十分な気密性を達成することができなかった。
【課題を解決するための手段】
【０００５】
上記課題を解決するために、本発明は、上枠と、下枠と、これらの間に引き違い式に配置された複数の引戸とを備え、上記引戸の上縁および下縁には、それぞれ上側走行体と下側走行体が設けられ、上記上枠には、屋内側，屋外側の引戸の上側走行体をそれぞれ案内する屋内側案内通路と屋外側案内通路が設けられ、上記下枠にも、屋内側，屋外側の引戸の下側走行体をそれぞれ案内する屋内側案内通路と屋外側案内通路が設けられている引戸装置において、上記屋内側引戸の屋外側の面および屋外側引戸の屋内側の面には、引戸の上下縁および左右の側縁に沿って延び全周にわたってほぼ連続するシール材が設けられ、上記上枠および下枠には、上記屋内側案内通路と屋外側案内通路の間に位置しこれら案内通路に沿って延びるシール用突条が設けられ、上記上枠および下枠の屋内側案内通路には、屋内側引戸が開き位置から閉じ位置に向かって移動する際に屋内側引戸の上側，下側の走行体をそれぞれ屋外に向かうように案内する傾斜部が設けられ、上記上枠および下枠の屋外側案内通路には、屋外側引戸が開き位置から閉じ位置に向かって移動する際に屋外側引戸の上側，下側の走行体をそれぞれ屋内に向かうように案内する傾斜部が設けられ、上記屋内側引戸と屋外側引戸が閉じ位置にあるとき、これら引戸の上下縁のシール材が上枠、下枠のシール用突条に当たり、これら引戸の側縁のシール材同士が当たることを特徴とする。
【０００６】
上記構成によれば、屋内側引戸と屋外側引戸は、開き位置から閉じ位置に向かう際に案内通路の傾斜部に案内されることにより、互いに近づくように変位してシールを行う。そのため、複雑かつ高価な寄せ機構を省くことができる。また、シールのための引戸の変位は基本的に引戸を閉じ位置に向かって移動させるだけで済むので操作性もよい。さらに、シール材は引戸の全周にわたってほぼ連続しているので、十分なシール性も発揮できる。
【０００７】
好ましくは、上記引戸の上側走行体および下側走行体が左右に一対ずつ設けられ、上枠，下枠の屋内側案内通路が互いに同一形状をなして上下に対峙するとともに、これら上枠，下枠に沿って同一直線上に延びる複数の主通路部分と、これら主通路部分に連なるとともに閉じ位置の引戸の走行体に対応した箇所に設けられた複数の副通路部分とを有し、案内通路の両端から離れた副通路部分は屋外に向かって突出する山形をなし、その両側が上記傾斜部として提供され、同様に、上枠，下枠の屋外側案内通路も互いに同一形状をなして上下に対峙とともに、これら上枠，下枠に沿って同一直線上に延びる複数の主通路部分と、これら主通路部分に連なるとともに閉じ位置の引戸の走行体に対応した箇所に設けられた複数の副通路部分とを有し、案内通路の両端から離れた副通路部分は屋内に向かって突出する山形をなし、その両側が上記傾斜部として提供され、上記引戸が開き位置にある時には引戸の走行体が案内通路の主通路部分に位置し、引戸が閉じ位置にある時には引戸の走行体が山形をなす副通路部分の頂部に位置する。
この構成によれば、特に引戸の数が多い場合に引戸の移動範囲を広げることができる。しかも、その広い移動範囲において引戸が移動する際、走行体が山形の副通路部分を通過するため、案内通路が一直線の場合に生じる可能性がある引戸の暴走を、防止ことができる。
【０００８】
好ましくは、各引戸はその上框に取り付けられた左右一対の吊具を介して上記上枠に吊り下げ支持されるようになっており、上記上枠は屋外側案内通路の両側と屋外側案内通路の両側にそれぞれ一対の走行支持部を有し、上記吊具は、上枠から上方に垂直に延びて上記案内通路を貫通するシャフトと、このシャフトの上部に設けられた支持体と、この支持体に支持された少なくとも一対の戸車とを有し、上記シャフトが上記案内通路に沿って走行する上側走行体として提供され、上記戸車が上記走行支持部の上面に乗ることにより上記引戸の荷重を担う。
この構成によれば、特に引戸の荷重が大である場合に、その荷重をしっかりと担うことができる。
【０００９】
好ましくは、各吊具が上記支持体を一対備え、これら支持体が上記シャフトに回動可能に連結され、各支持体に上記対をなす戸車が設けられるとともに上方に突出する補助走行体が設けられ、上記上枠には当該補助走行体を案内する屋内側、屋外側の補助案内通路が設けられ、上記屋内側の補助案内通路には、屋内側引戸が開き位置から閉じ位置に向かって移動する際に屋内側引戸の補助走行体を屋外に向かうように案内する傾斜部が設けられ、上記屋外側の補助案内通路には、屋外側引戸が開き位置から閉じ位置に向かって移動する際に屋外側引戸の補助走行体を屋内に向かうように案内する傾斜部が設けられている。
この構成によれば、吊具の戸車を対応する補助走行体の進行方向と平行な姿勢に近づけることができ、円滑な走行を行うことができる。
【００１０】
好ましくは、上記屋内側の補助案内通路は、上枠，下枠に沿って直線上に延びる複数の主通路部分と、これら主通路部分に連なるとともに閉じ位置の引戸の吊具に対応した箇所に設けられた複数の副通路部分とを有し、補助案内通路の両端から離れた副通路部分は屋外に向かって突出する山形をなし、その両側が上記傾斜部として提供され、同様に、屋外側の補助案内通路も上枠，下枠に沿って直線上に延びる複数の主通路部分と、これら主通路部分に連なるとともに閉じ位置の引戸の吊具に対応した箇所に設けられた複数の副通路部分とを有し、補助案内通路の両端から離れた副通路部分は屋内に向かって突出する山形をなし、その両側が上記傾斜部として提供され、上記副通路部分の頂部は主通路部分と平行をなして真直ぐに延びており、上記引戸が開き位置にある時には各吊具の一対の補助走行体が補助案内通路の主通路部分に位置し、引戸が閉じ位置にある時には各吊具の一対の補助走行体が上記補助案内通路の副通路部分における真直ぐな頂部に位置し、これにより、吊具の一対の支持体が一直線上に配置されるとともに、上記吊具の全ての戸車が引戸と平行をなす。
この構成によれば、引戸の閉じ位置において吊具の戸車が引戸と平行をなしているので、引戸を左右いずれかに移動して閉じ位置から開き位置に向かわせる際に、その始動を円滑に行うことができる。
【００１１】
好ましくは、上記下枠のシール用突条が下枠の上面から僅かに突出し、下側のシール材の下面が引戸の下縁と同一高さに位置するか、それより僅かに下方に突出している。
これによれば、下枠上面を床面とほぼ一致させる場合に、下枠のシール用突条が邪魔にならずバリアフリーを実現できる。
【発明の効果】
【００１２】
本発明によれば、引戸装置の気密構造が簡単かつ安価であり、しかも操作性が良く、十分な気密を得ることができる。
【発明を実施するための最良の形態】
【００１３】
以下、本発明の一実施形態をなす大型の引き違い窓装置（引戸装置）を、図面を参照しながら説明する。図１に示すように、この窓装置は、窓開口を画成する窓枠１と、この窓開口を開閉するために引き違い式に配置された複数の引戸１０とを備えている。本実施形態では引戸１０が屋内側に２枚、屋外側に２枚、合計４枚装備されている。
【００１４】
窓枠１は、上枠２０および下枠３０と、左右の縦枠４０（図１０参照）とを備えている。上枠２０はブラケット２を介して天井スラブ（上階の床スラブ）に固定され、下枠３０は高さ調節機能付き支持機構３を介して床スラブ４に固定されている。
【００１５】
さらに、図１を参照しながら窓装置の周辺構成について簡単に説明する。屋内側、屋外側（ベランダ側）に配置された天井材５ａおよび軒下材５ｂは、ほぼ同一高さをなして上枠２０に近接して配置されている。また、床スラブ４には屋内側、屋外側に床材６ａ，デッキ材６ｂが設置されている。これら床材６ａ、デッキ材６ｂは、その上面すなわち床面がほぼ同一高さをなして下枠３０に近接して配置されている。さらにベランダ側には樋７およびこの樋７を塞ぐ通水性の蓋８が配置されている。この蓋８は、床材６ａ，６ｂとほぼ同一高さをなしている。
【００１６】
図２〜図６に示すように、各引戸１０は例えば縦幅、横幅が３〜４ｍをなす矩形の枠体１１と、枠体１１にはめ込まれたガラス板１２を有している。
各引戸１０の一方の面（すなわち屋内側の引戸１０の場合には屋外側の面、屋外側の引戸１０の場合には屋内側の面）には、中空の弾性押出材からなるシール材１５が取り付けられている。
【００１７】
より具体的には、アルミ等の押出材からなる枠体１１の上框１１ａ（上縁）、下框１１ｂ（下縁）および左右の縦框１１ｃ（側縁）の上記一方の面には、これら框１１ａ〜１１ｃの長手方向に延びる一対の突条１３（取付部）が形成されており、シール材１５の裏側の突条１５ａがこれら突条１３間に嵌り込むようにして取り付けられている。
図４に最も良く示すように、上記上框１１ａ、下框１１ｂと左右の縦框１１ｃは上記突条１３が連なるようにして連結されており、これにより、各框１１ａ，１１ｂ，１１ｃに取り付けられたシール材１５同士も連なるように取り付けることができる。その結果、シール材１５は引戸１０の一方の面に全周にわたって連続して取り付けられている。
なお、図２に示すように下側のシール材１５の下面は、下框１１ｂの下縁とほぼ同じ高さか僅かに（例えば２ｍｍ程度）下方に突出している。この突出量は後述するシール用突条３３の突出量より小さい。
【００１８】
図２，図３，図７，図８に示すように、上記引戸１０は、その上框１１ａの左右端部の２箇所に取り付けた吊具８０を介して、上枠２０に吊り下げ支持されている。この吊具８０は、引戸１０の上框１１ａに固定されたロッド８１と、このロッド８１に螺合固定されて引戸１０から上方に垂直に突出するシャフト８２（上側走行体）と、このシャフト８２に回動可能に連結された一対の支持体８３と、各支持体８３に水平軸を中心として回転可能に支持された一対の戸車８４と、各支持体８３に垂直軸を中心として回転可能にかつ上方に突出するようにして支持された回転ローラ８５（補助走行体）とを備えている。
【００１９】
図２、図３に示すように、引戸１０の下縁の左右端部には、回転ローラ９０（下側走行体）が垂直軸を中心として回転可能に取り付けられている。これら回転ローラ９０は、上述した吊具８０のシャフト８２のちょうど真下に位置している。
図１にのみ示すように、各引戸１０にはその閉じ位置で下枠３０にロックする錠前９ａ，９ｂが設けられている。
【００２０】
次に、上記上枠２０について図２，図３，図７，図９を参照しながら説明する。上枠２０は、断面ほぼ逆Ｕ字形をなす第１枠材２１と、この第１枠材２１内に収容されてその上壁部中央に固定された第２枠材２２とを有している。これにより、上枠２０は、下部に開口する細長い空間を屋内側と屋外側に有している。なお、これら枠材２１、２２はアルミ等の押出材からなる。
【００２１】
上記第１枠材２１の屋内側、屋外側の側壁下部には水平の支持壁２１ａ（走行支持部）が形成されており、第２枠材２２の下部の両側には支持壁２１ａと同一高さで間隔をおいて対峙する水平の支持壁２２ａ（走行支持部）が形成されている。
【００２２】
上記支持壁２１ａの縁にはその長手方向に延びるガイド部材２３ａ，２３ｂが交互に取り付けられている。同様に、支持壁２２ａの縁にもその長手方向に延びるガイド部材２４ａ，２４ｂが交互に取り付けられている。ガイド部材２３ａ，２４ａは樹脂の押出材からなり、長尺に形成されている。ガイド部材２３ｂ，２４ｂは樹脂の射出成形品からなり長手方向に断面形状が変化する。
【００２３】
屋内側に位置するガイド部材２３ａ，２３ｂの縁は互いに連続し、これに対峙するガイド部材２４ａ，２４ｂの縁も連続している。これらガイド部材２３ａ，２３ｂとガイド部材２４ａ，２４ｂの対峙する縁は一定間隔をなして離れており、これにより、屋内側案内通路５１が形成されている。この屋内側案内通路５１に、上記屋内側引戸１０の吊具８０のシャフト８２が入り込み、案内されるようになっている。
【００２４】
図９（Ｂ）に最も良く示すように、ガイド部材２３ａ，２４ａの縁間の領域は、屋内側案内通路５１の真直ぐな主通路部分５１ａとして提供され、射出成形品からなるガイド部材２３ｂ、２４ｂの縁間の領域は、屋内側案内通路５１の副通路部分５１ｂとして提供される。この副通路部分５１ｂは平面形状が山形をなし、屋外側に向かって突出し、その両側が傾斜部５１ｘとなっている。なお、この副通路部分５１ｂの山形の頂部を符号５１ｙで示す。
【００２５】
同様にして屋外側のガイド部材２３ａ，２３ｂとガイド部材２４ａ，２４ｂにより、屋外側案内通路５２が形成されている。この屋外側案内通路５２に、上記屋外側引戸１０の吊具８０のシャフト８２が入り込み、案内されるようになっている。
この屋外側案内通路５２も真直ぐな主通路部分５１ａと山形をなす副通路部分５１ｂとを有しているが、この副通路部分５１ｂは屋内側に向かって突出している。副通路部分５２ｂも傾斜部５２ｘと頂部５２ｙを有している。
【００２６】
上記上枠２０は更に、上記案内通路５１、５２の上方に位置する補助案内通路５３，５４を有している。これら補助案内通路５３、５４は、案内通路５１，５２と同様に、第１枠材２１に取り付けられた樹脂製のガイド部材２５ａ，２５ｂと第２枠材２２に取り付けられた樹脂製のガイド部材２６ａ，２６ｂにより形成される。ガイド部材２５ａ，２６ａは押出材からなりガイド部材２５ｂ、２６ｂは射出成形品からなる。
屋内側の補助案内通路５３には、屋内側引戸１０の吊具８０のローラ８５が入り込んで案内されるようになっており、屋外側の補助案内通路５４には屋外側引戸１０の吊具８０のローラ８５が入り込んで案内されるようになっている。
【００２７】
図９（Ａ）に最も良く示すように、上記補助案内通路５３、５４は真直ぐな主通路部分５３ａ，５４ａと山形をなす副通路部分５３ｂ、５４ｂとを有している。案内通路５１、５２と同様に、屋内側の補助案内通路５３の副通路部分５３ｂは山形をなし屋外側に突出し、屋外側の補助案内通路５４の副通路部分５４ｂは山形をなし屋内側に突出している。
【００２８】
補助案内通路５３、５４の副通路部分５３ｂ、５４ｂは真下にある案内通路５１、５２の副通路部分５１ｂ、５２ｂと対応した位置関係にあるが、これより長く形状も異なっている。すなわち、両側が傾斜部５３ｘ、５４ｘをなし、頂部５３ｙ、５４ｙが主通路部分５３ａ，５４ａと平行をなし短い距離であるが真直ぐになっている。
【００２９】
図１０（Ｂ）に示すように、上枠２０の案内通路５１，５２の副通路部分５１ｂ，５２ｂは、閉じ位置にある引戸１０の吊具８０に対応して設けられており、本実施形態では各案内通路５１，５２に４箇所ずつ形成されている。各案内通路５１，５２の主通路部分５１ａ，５２ａは，上枠２０に沿って一直線上に配置されている。
図１０（Ａ）に示すように、補助案内通路５３，５４の副通路部分５３ｂ，５４ｂは、閉じ位置にある引戸１０の吊具８０に対応して設けられており、本実施形態では各補助案内通路５３，５４に４箇所ずつ形成されている。各補助案内通路５３，５４の主通路部分５３ａ，５４ａは，上枠２０に沿って一直線上に配置されている。
【００３０】
図２，図３に示すように、上記第２枠材２１の下面には下方に垂直に突出するシール用突条２７が形成されている。このシール用突条２７は上枠２０の長手方向に沿ってその全長にわたって延び、２つの案内通路５１、５２間に位置している。
【００３１】
次に、図２、図３を参照しながら下枠３０について詳述する。下枠３０は、アルミ等の押出材からなる第１枠材３１と２本の第２枠材３２とを有している。第１枠材３１は互いに離間した３つの起立壁を有しており、屋内側起立壁と中央起立壁との間および屋外側起立壁と中央起立壁との間に、それぞれ第２枠材３２が収容固定されている。中央起立壁の上縁部３３は厚肉をなして第２枠材３２の上面（下枠３０の上面）から僅かに（例えば５ｍｍ程度）上方に突出しており、シール用突条として提供される。
【００３２】
図３に示すように、上記屋内側、屋外側の第２枠材３２は、それぞれその長手方向に延びる溝を有しており、この溝は屋内側案内通路６１および屋外側案内通路６２の主通路部分６１ａ，６２ａを構成している。
図２に示すように、上記屋内側、屋外側の第２枠材３２は、複数個所で切り欠かれており、この切欠部には樹脂製またはアルミ製のガイド部材３５がはめ込まれて固定されている。このガイド部材３５は、下枠２０の長手方向に延びる射出成形品からなり、溝を有している。この溝は上記第２枠材３２の溝と同一幅を有し、屋内側案内通路６１および屋外側案内通路６２の副通路部分６１ｂ，６２ｂを構成している。
【００３３】
図１０（Ｃ）に示すように、下枠３０の屋内側案内通路６１および屋外側案内通路６２は、上枠２０の屋内側案内通路５１および屋外側案内通路５２と同一形状（中心線が同一形状であり、幅は同じでも異なっていてもよい。）真上から見たとき重なっている。図１０（Ｃ）において、副通路部分６１ｂ，６２ｂの傾斜部を符号６１ｘ、６２ｘで示し、頂部を符号６１ｙ、６２ｙで示す。
【００３４】
次に、図１０を参照しながら左右の縦枠４０について説明する。これら縦枠４０はその幅方向ほぼ中央にシール用突条４１を有している。このシール用突条４１は縦枠４０の全長にわたって垂直に延びている。
【００３５】
次に、上記窓装置の作用を説明する。図１１に示すように、４枚の引戸１０が全て閉じ位置にあり窓開口を塞いでいる状態では、屋内側引戸１０と屋外側引戸１０が交互に配置されている。
閉じ位置にある２枚の屋内側引戸１０の合計４つのシャフト８２は、図９（Ｂ），図１１（Ｂ）に示すように上枠２０の屋内側案内通路５１の副通路部分５１ｂの頂部５１ｙに位置し、４つのローラ９０は、図１１（Ｃ）に示すように下枠３０の屋内側案内通路６１の副通路部分６１ｂの頂部６１ｙに位置している。その結果、閉じ位置にある屋内側引戸１０は後述の開き位置にある場合よりも屋外側に変位している。
【００３６】
同様に、閉じ位置にある２枚の屋外側引戸１０の合計４つのシャフト８２は、図１１（Ｂ）に示すように上枠２０の屋外側案内通路５２の副通路部分５２ｂの頂部５２ｙに位置し、４つのローラ９０は，図１１（Ｃ）に示すように下枠３０の屋外側案内通路６２の副通路部分６２ｂの頂部６２ｙに位置している。その結果、閉じ位置にある屋外側引戸１０は開き位置にある場合よりも屋内側に変位している。
【００３７】
上述のように全ての引戸１０が閉じ位置にある時、屋内側引戸１０と屋外側引戸１０は互いに近接した位置にあり、図２に示すようにこれら引戸１０の上框のシール材１５が上枠２０のシール用突条２７に弾性変形を伴って当たり、その下框のシール材１５が下枠３０のシール用突条３５に弾性変形を伴って当たり、図５に示すように屋内側の引戸１０と屋外側引戸１０の左右の側縁のシール材１５同士が弾性変形を伴って当たる。また、図１１に示すように、右端に位置する屋内側引戸１０の右側縁のシール材１５と、左端に位置する屋外側引戸１０の左側縁のシール材１５が、それぞれ縦枠４０のシール用突条４１に弾性変形を伴って当たる。
上記のようにして全ての引戸１０がそれぞれ全周にわたってシールされるので、窓装置全体で高い気密性を確保することができる。
【００３８】
図１１（Ａ）に示すように、引戸１０が閉じ位置にある時、引戸１０の吊具８０の２つのローラ８５が、補助案内通路５３、５４の副通路部分５３ｂ、５４ｂの真直ぐな頂部５３ｙ、５４ｙに位置しており、一対の支持体８３は一直線をなし、戸車８４は引戸１０と平行をなしている。そのため、引戸１０を左右に移動させて開き位置に向かわせる際に、その始動を円滑に行える。
【００３９】
図１２は両端の２枚の引戸１０を閉じ位置に維持したまま中央の２枚の引戸１０のみを左右に移動させて開き位置にした状態を示し、窓開口は半開状態となる。図１３は両端の２枚の引戸１０を閉じ位置に維持したまま中央の２枚の引戸１０のみを左右に移動させて両端の引戸１０に重ねるような開き位置にした状態を示し、窓開口は全開状態となる。
図１２、図１３に示すように、上記引戸１０が開き位置にある時、吊具８０のシャフト８２は案内通路５１、５２の主通路部分５１ａ，５２ａに位置し、ローラ９０は案内通路６１，６２の主通路部分６１ａ，６２ａに位置し、ローラ８５は補助案内通路５３，５４の主通路部分５３ａ，５４ａに位置する。
【００４０】
屋内側引戸１０が開き位置にある時には、閉じ位置にある場合より屋内側に位置し、屋外側引戸１０が開き位置にある時には、閉じ位置にある場合より屋外側に位置する。したがって、開き位置にある引戸１０のシール材１５は図３に示すようにシール用突条２７，３３から離れる。また、屋内側引戸１０と屋外側引戸１０がともに開き位置にある時には、両者は引戸１０と直交する方向に最大限離れることになる。図６参照。
【００４１】
なお、図１２の状態から両端の引戸１０を移動させて、隣接する引戸１０と重ねることにより窓開口を全開にすることもできる。この状態では全ての引戸１０が開き位置にある。
【００４２】
次に、引戸１０が開き位置から閉じ位置に至るまでの作用について説明する。引戸１０が開き位置から左右いずれかに移動して閉じ位置に向かう過程で、左右の吊具８０のシャフト８２は対応する案内通路５１，５２の副通路部分５１ｂ，５２ｂの一方の傾斜部５１ｘ、５２ｘを通る。同時に左右のローラ９０が対応する案内通路６１，６２の副通路部分６１ｂ，６２ｂの一方の傾斜部６１ｘ、６２ｘを通る。そのため、引戸１０は窓枠１と平行をなしたまま斜め移動し、屋内側引戸１０が屋外へ屋外側引戸１０が屋内へと円滑に変位し、上述した閉じ位置に達する。
【００４３】
上記引戸１０が開き位置から閉じ位置まで移動する過程で、吊具８０の２つのローラ８５が補助案内通路５３，５４の傾斜部５３ｘ、５４ｘを順次通過する。この際、２つの支持体８３がシャフト８２を中心として回動するため、各戸車８４は対応するローラ８５の走行方向と平行に近い姿勢をとることができ、支持壁２１ａ，２２ａ上を円滑に走行することができる。
【００４４】
本発明は上記実施形態に制約されず、種々の態様が可能である。例えば、窓のみならず倉庫のシャッター装置にも適用できる。引戸の数は２枚，３枚でもよいし、５枚以上でもよい。また、簡単な寄せ機構を補助的に用いてもよい。
案内通路、補助案内通路の副通路部分は種々の形状を採用することができ、その傾斜部は直線でもよいし湾曲してもよい。
【図面の簡単な説明】
【００４５】
【図１】本発明の一実施形態をなす引き違い窓装置を閉じ状態で示す縦断面図である。
【図２】同窓装置の要部を閉じ状態で示す拡大縦断面図である。
【図３】同窓装置の要部を開き状態で示す拡大縦断面図である。
【図４】同窓装置の引戸を示す正面図である。
【図５】同窓装置の隣接する引戸を閉じ状態で示す拡大平断面図である。
【図６】同窓装置の隣接する引戸を開き状態で示す平断面図である。
【図７】同窓装置の引戸を吊り下げ支持するための吊具を示す正面図である。
【図８】同吊具の平面図である。
【図９】同装置の引戸が閉じ位置にある時の概略平面図であり、（Ａ）は上枠の補助案内通路と引戸の吊具のローラとの位置関係を示し、（Ｂ）は上枠の案内通路と引戸の吊具のシャフトとの位置関係を示す。
【図１０】同装置の各案内通路の形状を示す概略平面図であり、（Ａ）は上枠の屋外側、屋内側の補助案内通路を示し、（Ｂ）は上枠の屋外側、屋内側の案内通路を示し、（Ｃ）は下枠の屋外側、屋内側の案内通路を示す。
【図１１】全ての引戸が閉じ位置にあり、窓開口が全閉状態をなしているときの概略平面図であり、（Ａ）は上枠の補助案内通路と吊具のローラとの位置関係を示し、（Ｂ）は上枠の案内通路と吊具のシャフトとの位置関係を示し、（Ｃ）は下枠の案内通路と下側のローラとの位置関係を示す。
【図１２】両端の２枚の引戸が閉じ位置にあり、中央の２枚の引戸が少し開いた状態にあるときの概略平面図であり、（Ａ）は上枠の補助案内通路と吊具のローラとの位置関係を示し、（Ｂ）は上枠の案内通路と吊具のシャフトとの位置関係を示し、（Ｃ）は下枠の案内通路と下側のローラとの位置関係を示す。
【図１３】両端の２枚の引戸が閉じ位置にあり、中央の２枚の引戸が両端の引戸に重なることにより、窓が最大限開いた状態にあるときの概略平面図であり、（Ａ）は上枠の補助案内通路と吊具のローラとの位置関係を示し、（Ｂ）は上枠の案内通路と吊具のシャフトとの位置関係を示し、（Ｃ）は下枠の案内通路と下側のローラとの位置関係を示す。
【符号の説明】
【００４６】
１０  引戸
１５  シール材
２０  上枠
２１ａ，２２ａ  支持壁（走行支持部）
２７  シール用突条
３０  下枠
３３  シール用突条
５１  上枠の屋内側案内通路
５２  上枠の屋外側案内通路
５１ａ，５２ａ  主通路部分
５１ｂ，５２ｂ  副通路部分
５１ｘ，５２ｘ  傾斜部
５１ｙ，５２ｙ  頂部
５３  屋内側補助案内通路
５４  屋外側補助案内通路
５３ａ，５４ａ  主通路部分
５３ｂ，５４ｂ  副通路部分
５３ｘ，５４ｘ  傾斜部
５３ｙ，５４ｙ  頂部
６１  下枠の屋内側案内通路
６２  下枠の屋外側案内通路
６１ａ，６２ａ  主通路部分
６１ｂ，６２ｂ  副通路部分
６１ｘ，６２ｘ  傾斜部
６１ｙ，６２ｙ  頂部
８０  吊具
８２  シャフト（上側走行体）
８３  支持体
８４  戸車
８５  ローラ（補助走行体）
９０  ローラ（下側走行体）
【図１】
2008057265.tif 000003
【図２】
2008057265.tif 000004
【図３】
2008057265.tif 000005
【図４】
2008057265.tif 000006
【図５】
2008057265.tif 000007
【図６】
2008057265.tif 000008
【図７】
2008057265.tif 000009
【図８】
2008057265.tif 000010
【図９】
2008057265.tif 000011
【図１０】
2008057265.tif 000012
【図１１】
2008057265.tif 000013
【図１２】
2008057265.tif 000014
【図１３】
2008057265.tif 000015